【手続補正書】
【提出日】平成21年7月30日(2009.7.30)
【手続補正１】
【補正対象書類名】特許請求の範囲
【補正対象項目名】全文
【補正方法】変更
【補正の内容】
【特許請求の範囲】
【請求項１】
複数の論理単位から成るタイルを単位として分割された画像の符号化データで、かつ、当該符号化データのフォーマットが論理単位の並べる順番が複数種類可能である画像の符号化データを保持し、外部装置からの要求に応じたタイル中の、当該要求に応じた論理単位のデータを前記外部装置に送信する画像処理装置が行う画像処理方法であって、
タイルの符号化データの送信要求を受信する受信工程と、
前記送信要求に応じて前記外部装置に送信すべきタイルの符号化データのデータ量の上限値が、前記外部装置より指定されているか否かを判断する判断工程と、
前記上限値が前記外部装置より指定されている場合、前記送信要求に応じて前記外部装置に送信すべき各タイルの符号化データを予め定められた順番で参照し、参照したタイルの符号化データを構成する論理単位のデータのうち、前記送信要求に応じた論理単位のデータ、及び当該論理単位のヘッダデータをメモリに出力する出力工程と、
前記出力工程で出力する順に各論理単位のデータ、及び各論理単位のヘッダデータのサイズを計数し、計数結果が前記上限値を超えるまでに前記出力工程で出力した論理単位のデータ群、及び各論理単位のヘッダデータ群を前記外部装置に送信する送信工程と
を備えることを特徴とする画像処理方法。
【請求項２】
前記判断工程では、前記送信要求に、前記外部装置が要求する符号化データのデータ量の上限値を指定しているデータが含まれているか否かを判断し、当該データが含まれている場合には、当該データが示す数値を前記上限値として解釈することを特徴とする請求項１に記載の画像処理方法。
【請求項３】
前記出力工程では、前記送信要求に応じて前記外部装置に送信すべき各タイルの符号化データを、該符号化データの復号画像の中心位置に近い順番に参照し、参照したタイルの符号化データを構成する論理単位のデータのうち、前記送信要求に応じた論理単位のデータ、及び当該論理単位のヘッダデータをメモリに出力することを特徴とする請求項１に記載の画像処理方法。
【請求項４】
前記出力工程では、前記送信要求に応じて前記外部装置に送信すべき各タイルの符号化データを、メタデータが付与されているタイルの符号化データ、メタデータが付与されていないタイルの符号化データの順に参照し、参照したタイルの符号化データを構成する論理単位のデータのうち、前記送信要求に応じた論理単位のデータ、及び当該論理単位のヘッダデータをメモリに出力することを特徴とする請求項１に記載の画像処理方法。
【請求項５】
前記出力工程では、前記送信要求に応じて前記外部装置に送信すべき各タイルの符号化データにおいて、メタデータが付与されたタイルにより構成される領域のうち、前記送信要求に応じて前記外部装置に送信すべき各タイルの符号化データの復号画像に完全に含まれる領域を構成するタイルの符号化データ、前記領域と重なっている部分のタイルの符号化データ、メタデータが付与されていないタイルの符号化データの順に参照し、参照したタイルの符号化データを構成する論理単位のデータのうち、前記送信要求に応じた論理単位のデータ、及び当該論理単位のヘッダデータをメモリに出力することを特徴とする請求項４に記載の画像処理方法。
【請求項６】
前記出力工程では、前記送信要求に応じて前記外部装置に送信すべき各タイルの符号化データを、暗号化されているタイルの符号化データ、暗号化されていないタイルの符号化データの順に参照し、参照したタイルの符号化データを構成する論理単位のデータのうち、前記送信要求に応じた論理単位のデータ、及び当該論理単位のヘッダデータをメモリに出力することを特徴とする請求項１に記載の画像処理方法。
【請求項７】
前記出力工程では、前記送信要求に応じて前記外部装置に送信すべき各タイルの符号化データを、暗号化されていないタイルの符号化データ、暗号化されているタイルの符号化データの順に参照し、参照したタイルの符号化データを構成する論理単位のデータのうち、前記送信要求に応じた論理単位のデータ、及び当該論理単位のヘッダデータをメモリに出力することを特徴とする請求項１に記載の画像処理方法。
【請求項８】
更に、タイル毎に外部装置からのアクセス回数を管理する管理工程を備え、
前記出力工程では、前記送信要求に応じて前記外部装置に送信すべき各タイルの符号化データをアクセス回数の多い順番に参照し、参照したタイルの符号化データを構成する論理単位のデータのうち、前記送信要求に応じた論理単位のデータ、及び当該論理単位のヘッダデータをメモリに出力することを特徴とする請求項１に記載の画像処理方法。
【請求項９】
複数の論理単位から成るタイルを単位として分割された画像の符号化データで、かつ、当該符号化データのフォーマットが論理単位の並べる順番が複数種類可能である画像の符号化データを保持し、外部装置からの要求に応じたタイル中の、当該要求に応じた論理単位のデータを前記外部装置に送信する画像処理装置であって、
タイルの符号化データの送信要求を受信する受信手段と、
前記送信要求に応じて前記外部装置に送信すべきタイルの符号化データのデータ量の上限値が、前記外部装置より指定されているか否かを判断する判断手段と、
前記上限値が前記外部装置より指定されている場合、前記送信要求に応じて前記外部装置に送信すべき各タイルの符号化データを予め定められた順番で参照し、参照したタイルの符号化データを構成する論理単位のデータのうち、前記送信要求に応じた論理単位のデータ、及び当該論理単位のヘッダデータをメモリに出力する出力手段と、
前記出力手段が出力する順に各論理単位のデータ、及び各論理単位のヘッダデータのサイズを計数し、計数結果が前記上限値を超えるまでに前記出力手段が出力した論理単位のデータ群、及び各論理単位のヘッダデータ群を前記外部装置に送信する送信手段と
を備えることを特徴とする画像処理装置。
【請求項１０】
コンピュータを請求項９に記載の画像処理装置が有する各手段として機能させる為のコンピュータプログラム。
【請求項１１】
請求項１０に記載のコンピュータプログラムを格納した、コンピュータ読み取り可能な記憶媒体。
【手続補正２】
【補正対象書類名】明細書
【補正対象項目名】００１２
【補正方法】変更
【補正の内容】
【００１２】
即ち、複数の論理単位から成るタイルを単位として分割された画像の符号化データで、かつ、当該符号化データのフォーマットが論理単位の並べる順番が複数種類可能である画像の符号化データを保持し、外部装置からの要求に応じたタイル中の、当該要求に応じた論理単位のデータを前記外部装置に送信する画像処理装置が行う画像処理方法であって、
タイルの符号化データの送信要求を受信する受信工程と、
前記送信要求に応じて前記外部装置に送信すべきタイルの符号化データのデータ量の上限値が、前記外部装置より指定されているか否かを判断する判断工程と、
前記上限値が前記外部装置より指定されている場合、前記送信要求に応じて前記外部装置に送信すべき各タイルの符号化データを予め定められた順番で参照し、参照したタイルの符号化データを構成する論理単位のデータのうち、前記送信要求に応じた論理単位のデータ、及び当該論理単位のヘッダデータをメモリに出力する出力工程と、
前記出力工程で出力する順に各論理単位のデータ、及び各論理単位のヘッダデータのサイズを計数し、計数結果が前記上限値を超えるまでに前記出力工程で出力した論理単位のデータ群、及び各論理単位のヘッダデータ群を前記外部装置に送信する送信工程と
を備えることを特徴とする。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１６
【補正方法】変更
【補正の内容】
【００１６】
即ち、複数の論理単位から成るタイルを単位として分割された画像の符号化データで、かつ、当該符号化データのフォーマットが論理単位の並べる順番が複数種類可能である画像の符号化データを保持し、外部装置からの要求に応じたタイル中の、当該要求に応じた論理単位のデータを前記外部装置に送信する画像処理装置であって、
タイルの符号化データの送信要求を受信する受信手段と、
前記送信要求に応じて前記外部装置に送信すべきタイルの符号化データのデータ量の上限値が、前記外部装置より指定されているか否かを判断する判断手段と、
前記上限値が前記外部装置より指定されている場合、前記送信要求に応じて前記外部装置に送信すべき各タイルの符号化データを予め定められた順番で参照し、参照したタイルの符号化データを構成する論理単位のデータのうち、前記送信要求に応じた論理単位のデータ、及び当該論理単位のヘッダデータをメモリに出力する出力手段と、
前記出力手段が出力する順に各論理単位のデータ、及び各論理単位のヘッダデータのサイズを計数し、計数結果が前記上限値を超えるまでに前記出力手段が出力した論理単位のデータ群、及び各論理単位のヘッダデータ群を前記外部装置に送信する送信手段と
を備えることを特徴とする。
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】